(57)【要約】      （修正有）【課題】利便性に優れるフェイスシールドを提供する。【解決手段】フェイスシールド１０は、可撓性を有するフィルム状であり、装着者の顔面を覆うシールド本体１と、シールド本体に取り付けられ、装着者の頭部に掛け回されるバンド２とを備え、シールド本体が、左右両側の側縁部の対向する位置に一対のバンド固定部１１を有し、バンドが、シールド本体が左右方向に撓んだ状態で維持されるようにバンド固定部に取り付けられている。【選択図】図１
0003228026.tif 000002
【実用新案登録請求の範囲】
【請求項１】
可撓性を有するフィルム状であり、装着者の顔面を覆うシールド本体と、
上記シールド本体に取り付けられ、装着者の頭部に掛け回されるバンドと
を備え、
上記シールド本体が、左右両側の側縁部の対向する位置に一対のバンド固定部を有し、
上記バンドが、上記シールド本体が左右方向に撓んだ状態で維持されるように上記一対のバンド固定部に取り付けられているフェイスシールド。
【請求項２】
上記バンドが伸縮性を有する請求項１に記載のフェイスシールド。
【請求項３】
それぞれの上記バンド固定部が、左右方向に間隔を空けて配置される一対のバンド挿通孔を有しており、
上記バンドが、環状のバンド本体と、このバンド本体から分岐する一対の分岐片とを有しており、
上記分岐片が、上記一対のバンド挿通孔を通過し、これらのバンド挿通孔を通過した先端部分で上記バンド本体に固定されている請求項１又は請求項２に記載のフェイスシールド。
【請求項４】
上記先端部分に第１面ファスナー部が設けられ、上記バンド本体に上記第１面ファスナー部と着脱可能に固定される第２面ファスナー部が設けられている請求項３に記載のフェイスシールド。
【請求項５】
上記バンド固定部が、上記先端部分とこの先端部分に固定されているバンド本体とをまとめて係止する切り欠きを有する請求項３又は請求項４に記載のフェイスシールド。
【考案の詳細な説明】
【技術分野】
【０００１】
本考案は、フェイスシールドに関する。
【背景技術】
【０００２】
医療現場や工事現場等で飛散物から顔面を保護するためにフェイスシールドが用いられている（特開２０１８−１４９２９５号公報、実用新案登録第３２２４６３５号公報参照）。
【先行技術文献】
【特許文献】
【０００３】
【特許文献１】特開２０１８−１４９２９５号公報
【特許文献２】実用新案登録第３２２４６３５号公報
【考案の概要】
【考案が解決しようとする課題】
【０００４】
特許文献１には、シールドと、シールドを保持するためのプラスチック製かつ板状のフレーム部と、フレーム部に連結され、装着者の頭部に装着されるプラスチック製の装着部とを備え、医療現場で使用されるフェイスシールドが記載されている。
【０００５】
特許文献２には、保護面と、保護面に固定される保持部とを備え、工事現場で使用できるよう保持部がヘルメットに着脱可能に取り付けられているフェイスシールドが記載されている。
【０００６】
今日では、医療現場や工事現場に限らず、例えばスポーツジムや小売店等において感染防止等の衛生的な観点からフェイスシールドの使用が検討されている。このような現場で使用されるフェイスシールドには、手軽で快適に使用できる等の利便性がより求められる。
【０００７】
本考案は、このような事情に基づいてなされたものであり、利便性に優れるフェイスシールドを提供することを目的とする。
【課題を解決するための手段】
【０００８】
本考案の一態様に係るフェイスシールドは、可撓性を有するフィルム状であり、装着者の顔面を覆うシールド本体と、上記シールド本体に取り付けられ、装着者の頭部に掛け回されるバンドとを備え、上記シールド本体が、左右両側の側縁部の対向する位置に一対のバンド固定部を有し、上記バンドが、上記シールド本体が左右方向に撓んだ状態で維持されるように上記一対のバンド固定部に取り付けられている。
【考案の効果】
【０００９】
本考案の一態様に係るフェイスシールドは利便性に優れる。
【図面の簡単な説明】
【００１０】
【図１】図１は、本考案の一実施形態に係るフェイスシールドの模式的正面図である。
【図２】図２は、図１のフェイスシールドの模式的側面図である。
【図３】図３は、図１のフェイスシールドの装着状態を示す模式図である。
【図４】図４は、図１のフェイスシールドにおけるシールド本体のバンド固定部にバンドを取り付ける手順を示す模式図である。
【図５】図５は、図１のフェイスシールドにおけるシールド本体のバンド固定部にバンドを取り付ける図４の次の手順を示す模式図である。
【図６】図６は、図１のフェイスシールドにおけるシールド本体のバンド固定部にバンドを取り付ける図５の次の手順を示す模式図である。
【考案を実施するための形態】
【００１１】
［本考案の実施形態の説明］
最初に本考案の実施態様を列記して説明する。
【００１２】
本考案の一態様に係るフェイスシールドは、可撓性を有するフィルム状であり、装着者の顔面を覆うシールド本体と、上記シールド本体に取り付けられ、装着者の頭部に掛け回されるバンドとを備え、上記シールド本体が、左右両側の側縁部の対向する位置に一対のバンド固定部を有し、上記バンドが、上記シールド本体が左右方向に撓んだ状態で維持されるように上記一対のバンド固定部に取り付けられている。
【００１３】
当該フェイスシールドは、装着者の頭部への上記バンドの着脱によって、装着者の頭部に容易に装着し、かつ容易に取り外しすることができる。また、当該フェイスシールドは、上記バンドが、上記シールド本体が左右方向に撓んだ状態で維持されるように上記一対のバンド固定部に取り付けられているので、上記バンドを装着者の頭部に掛け回した状態で、装着者の頭部と上記シールド本体との間隔を適度に維持しやすい。そのため、当該フェイスシールドは、手軽で快適に使用することができ、利便性に優れる。
【００１４】
上記バンドが伸縮性を有するとよい。このように、上記バンドが伸縮性を有することによって、着脱容易性及び装着時のフィット感を高めることができる。
【００１５】
それぞれの上記バンド固定部が、左右方向に間隔を空けて配置される一対のバンド挿通孔を有しており、上記バンドが、環状のバンド本体と、このバンド本体から分岐する一対の分岐片とを有しており、上記分岐片が、上記一対のバンド挿通孔を通過し、これらのバンド挿通孔を通過した先端部分で上記バンド本体に固定されているとよい。このように、それぞれの上記バンド固定部が、左右方向に間隔を空けて配置される一対のバンド挿通孔を有しており、上記バンドが、環状のバンド本体と、このバンド本体から分岐する一対の分岐片とを有しており、上記分岐片が、上記一対のバンド挿通孔を通過し、これらのバンド挿通孔を通過した先端部分で上記バンド本体に固定されていることによって、上記シールド本体を所望の程度に撓ませた状態を容易かつ確実に維持することができる。
【００１６】
上記先端部分に第１面ファスナー部が設けられ、上記バンド本体に上記第１面ファスナー部と着脱可能に固定される第２面ファスナー部が設けられているとよい。このように、上記先端部分に第１面ファスナー部が設けられ、上記バンド本体に上記第１面ファスナー部と着脱可能に固定される第２面ファスナー部が設けられていることによって、上記先端部分と上記バンド本体とを容易かつ確実に固定することができる。
【００１７】
上記バンド固定部が、上記先端部分とこの先端部分に固定されているバンド本体とをまとめて係止する切り欠きを有するとよい。このように、上記バンド固定部が、上記先端部分とこの先端部分に固定されているバンド本体とをまとめて係止する切り欠きを有することによって、上記先端部分と上記バンド本体との意図しない外れを抑制できると共に、上記バンドの取扱性を高めることができる。
【００１８】
なお、本考案において、「左右」とは、フェイスシールドの装着状態における左右（つまり、装着者の顔幅方向）を意味する。
【００１９】
［本考案の実施形態の詳細］
以下、適宜図面を参照しつつ、本考案の実施の形態を詳説する。
【００２０】
［フェイスシールド］
図１及び図２のフェイスシールド１０は、可撓性を有するフィルム状のシールド本体１と、シールド本体１に取り付けられるバンド２とを備える。図３に示すように、シールド本体１は、装着者Ｐの顔面を覆うように配置される。また、バンド２は、装着者Ｐの頭部に掛け回される。
【００２１】
（シールド本体）
シールド本体１は、透明であり、好ましくは無色透明である。シールド本体１は、ポリエチレンテレフタレート（ＰＥＴ）、アクリル樹脂等の合成樹脂を主成分とする１枚のフィルムから構成されている。シールド本体１は、左右対称に構成されており、左右方向の中央部分が前方に突出するように湾曲している。シールド本体１には、防曇処理、撥水処理、帯電防止処理等の機能処理が施されていてもよく、反射防止層等の機能層が設けられていてもよい。なお、「主成分」とは、質量換算で含有量が最も大きい成分を意味しており、例えば含有量が５０質量％以上の成分を意味する。
【００２２】
シールド本体１は、左右両側の側縁部の対向する位置に一対のバンド固定部１１を有する。各バンド固定部１１は、左右方向に間隔を空けて配置される一対のバンド挿通孔（左右方向内側に配置される第１バンド挿通孔１１ａ及び左右方向外側に配置される第２バンド挿通孔１１ｂ）を有する。バンド挿通孔１１ａ、１１ｂは、それぞれ上下方向を長手方向とする矩形状である。バンド挿通孔１１ａ、１１ｂの上下方向長さは、バンド２の幅以上であり、バンド２の幅と略等しい。また、図４〜図６に示すように、バンド固定部１１は、第２バンド挿通孔１１ｂの左右方向外側に切り欠き１１ｃを有する。切り欠き１１ｃは、シールド本体１の上縁から下方に延びている。第１バンド挿通孔１１ａ、第２バンド挿通孔１１ｂ及び切り欠き１１ｃは、左右方向に間隔を空けて並列に配置されている。バンド固定部１１は、切り欠き１１ｃの左右方向外側に切り欠き１１ｃの底部から上方に突出する突起１１ｄを有する。
【００２３】
（バンド）
バンド２は、シールド本体１が左右方向に撓んだ状態で維持されるように一対のバンド固定部１１に取り付けられている。バンド２は、シールド本体１の撓み反力によって一対のバンド固定部１１間に張設されている。その結果、図２に示すように、一対のバンド固定部１１間に張設されたバンド２とシールド本体１の内面（装着者Ｐと対向する側の面）との間には空間Ｓが形成される。これにより、当該フェイスシールド１０は、装着者Ｐの頭部の前面とシールド本体１の内面との間に間隔を設けることができ、シールド本体１と頭部との密着に起因する装着時の違和感を抑制することができる。
【００２４】
バンド２は伸縮性を有する。当該フェイスシールド１０は、バンド２が伸縮性を有することで、着脱容易性及び装着時のフィット感を高めることができる。バンド２は、例えば伸縮可能な布帛、エラストマー、ゴム等を含んで構成することができる。
【００２５】
バンド２は、厚さに対して幅の大きい帯状である。
【００２６】
バンド２は、環状のバンド本体２ａと、バンド本体２ａから分岐する一対の分岐片２ｂとを有する。バンド本体２ａは、装着者Ｐの頭部に接触する内面と、この内面の反対側の外面とを有する。一対の分岐片２ｂは、バンド本体２ａの外面から外側に分岐している。一対の分岐片２ｂは、バンド本体２ａの一対のバンド固定部１１間に張設される部分の両端部から分岐している。一対の分岐片２ｂは、バンド本体２ａと略同幅の帯状である。
【００２７】
分岐片２ｂは、一対のバンド挿通孔１１ａ、１１ｂを通過し、これらのバンド挿通孔１１ａ、１１ｂを通過した先端部分でバンド本体２ａに固定されている。この構成によると、当該フェイスシールド１０は、バンド本体２ａを一対のバンド固定部１１間に張設した状態での一対の分岐片２ｂ同士の間隔に基づいてシールド本体１の撓み具合を制御することができる。従って、当該フェイスシールド１０は、シールド本体１を所望の程度に撓ませた状態を容易かつ確実に維持することができる。
【００２８】
以下、図４〜図６を参照して、バンド固定部１１へのバンド２の取り付け構造について詳説する。
【００２９】
分岐片２ｂの上記先端部分には第１面ファスナー部１２ａが設けられている。第１面ファスナー部１２ａは、上記先端部分の内面（バンド本体２ａと対向する側の面）に設けられている。また、バンド本体２ａには第１面ファスナー部１２ａと着脱可能に固定される第２面ファスナー部１２ｂが設けられている。第２面ファスナー部１２ｂは、バンド本体２ａにおける第１面ファスナー部１２ａと対向する外面に設けられている。
【００３０】
バンド２をバンド固定部１１に取り付けるに当たっては、まず図４に示すように、シールド本体１の内面側から分岐片２ｂを第１バンド挿通孔１１ａに挿入する。そして、分岐片２ｂとバンド本体２ａとの分岐部分が第１バンド挿通孔１１ａの外縁部分と干渉するまで分岐片２ｂを第１バンド挿通孔１１ａの外側に引っ張り出す。
【００３１】
さらに、図５に示すように、引っ張り出した分岐片２ｂを先端側から第２バンド挿通孔１１ｂに挿入する。そして、第２バンド挿通孔１１ｂを通過した分岐片２ｂの先端部分に設けられた第１面ファスナー部１２ａと第２面ファスナー部１２ｂとを固定する。当該フェイスシールド１０は、分岐片２ｂの先端部分に第１面ファスナー部１２ａが設けられ、バンド本体２ａに第２面ファスナー部１２ｂが設けられていることによって、分岐片２ｂの先端部分とバンド本体２ａとを容易かつ確実に固定することができる。
【００３２】
続いて、図６に示すように、分岐片２ｂの先端部分とこの先端部分に固定されているバンド本体２ａとをまとめて切り欠き１１ｃに係止する。すなわち、分岐片２ｂの第１面ファスナー部１２ａとバンド本体２ａの第２面ファスナー部１２ｂとの固定部分を内側から外側に切り欠き１１ｃを通過させることで、この固定部分を切り欠き１１ｃに係止する。これにより、切り欠き１１ｃを通過した分岐片２ｂの第１面ファスナー部１２ａとバンド本体２ａの第２面ファスナー部１２ｂとの固定部分は、突起１１ｄによって内側から支持された状態で、シールド本体１の外面側に維持される。当該フェイスシールド１０は、バンド固定部１１が、分岐片２ｂの先端部分とこの先端部分に固定されているバンド本体２ａとをまとめて係止する切り欠き１１ｃを有することによって、分岐片２ｂの先端部分とバンド本体２ａとの意図しない外れを抑制できると共に、バンド２の取扱性を高めることができる。
【００３３】
＜利点＞
当該フェイスシールド１０は、装着者Ｐの頭部へのバンド２の着脱によって、装着者Ｐの頭部に容易に装着し、かつ容易に取り外しすることができる。また、当該フェイスシールド１０は、バンド２が、シールド本体１が左右方向に撓んだ状態で維持されるように一対のバンド固定部１１に取り付けられているので、バンド２を装着者Ｐの頭部に掛け回した状態で、装着者Ｐの頭部とシールド本体１との間隔を適度に維持しやすい。そのため、当該フェイスシールド１０は、手軽で快適に使用することができ、利便性に優れる。
【００３４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３５】
例えば上記バンドは、伸縮性を有するものに限定されない。
【００３６】
当該フェイスシールドは、上記分岐部分を中間部分まで上記第１バンド挿通孔に挿通した状態で、上記分岐部分と上記バンド本体とを固定するようにしてもよい。この構成によると、上記分岐部分の通過長さを調整することで、上記バンドの上記一対のバンド固定部間に張設される部分の長さを調整することができる。
【００３７】
上記バンド固定部の具体的な構成は、上記実施形態に記載の構成に限定されない。例えば上記バンド固定部は、上記バンドが通過するように上記シールド本体の内面又は外面に設けられるリング部材を含んでいてもよい。
【００３８】
上記バンド固定部の具体的な構成によっては、上記バンドは環状の本体から分岐する一対の分岐片を有していなくてもよい。
【００３９】
上記バンドがバンド本体と分岐片とを有する場合でも、上記バンド本体と上記分岐片との固定手段は特に限定されるものではない。例えば上記バンド本体と上記分岐片とは、他の結束部材を用いて結束されてもよく、互いに結び付けられてもよい。
【００４０】
上記バンド固定部は、上記分岐片と上記バンド本体とをまとめて係止する上述の切り欠きを有していなくてもよい。
【産業上の利用可能性】
【００４１】
以上のように、本考案の一態様に係るフェイスシールドは、手軽で快適に使用することができるので、例えば感染防止用として種々の現場で用いることができる。
【符号の説明】
【００４２】
１  シールド本体
２  バンド
２ａ  バンド本体
２ｂ  分岐片
１０  フェイスシールド
１１  バンド固定部
１１ａ  第１バンド挿通孔
１１ｂ  第２バンド挿通孔
１１ｃ  切り欠き
１１ｄ  突起
１２ａ  第１面ファスナー部
１２ｂ  第２面ファスナー部
Ｐ  装着者
Ｓ  一対のバンド固定部間に張設されたバンドとシールド本体の内面との間の空間
【図１】
0003228026.tif 000003
【図２】
0003228026.tif 000004
【図３】
0003228026.tif 000005
【図４】
0003228026.tif 000006
【図５】
0003228026.tif 000007
【図６】
0003228026.tif 000008